【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
入力される映像データを記憶装置に録画する録画装置であって、
録画のために使用可能な前記記憶装置の容量を取得する第１取得手段と、
録画対象の映像データを録画するために前記記憶装置に必要な容量を取得する第２取得手段と、
前記第２取得手段により取得される前記必要な容量が前記第１取得手段により取得される前記使用可能な容量を超えている場合、前記録画対象の映像データの一部の領域を切り出し、前記録画対象の映像データよりも画素数の少ない映像データを生成する切り出し手段と、
前記切り出し手段により生成される映像データを前記記憶装置に録画する録画手段と、を備える録画装置。
【請求項２】
前記切り出し手段は、前記録画対象の映像データから切り出す領域を、該切り出した映像データを全て録画するために前記記憶装置に必要な容量が前記使用可能な容量以下になるように決定する請求項１に記載の録画装置。
【請求項３】
前記録画対象の映像データに関連付けられた情報であって、該映像データから切り出すべき領域を指定する情報を取得する第３取得手段を備え、
前記切り出し手段は、前記第３取得手段が取得した情報において切り出すべき領域として指定される領域を含むように前記切り出す領域を決定することを特徴とする請求項１又は２に記載の録画装置。
【請求項４】
前記切り出し手段は、前記指定される領域が前記切り出す領域の中央に位置するように前記切り出す領域を決定することを特徴とする請求項３に記載の録画装置。
【請求項５】
前記切り出し手段は、前記指定される領域が前記切り出す領域の中央に位置するように前記切り出す領域を決定した場合該切り出す領域の一部が録画対象の映像データのフレーム外に出る場合、該切り出す領域が越えることになるフレームの端部を基準として前記切り出す領域を決定することを特徴とする請求項３に記載の録画装置。
【請求項６】
前記切り出し手段は、前記指定される領域が複数存在する場合、該複数の指定される領
域の一部又は全部を含む単一の領域を前記切り出す領域として決定することを特徴とする請求項３に記載の録画装置。
【請求項７】
前記切り出し手段は、前記指定される領域が複数存在する場合、該複数の指定される領域の一部又は全部をそれぞれ含む複数の領域を前記切り出す領域として決定し、前記録画対象の映像データから該決定した複数の領域をそれぞれ切り出し、前記録画対象の映像データよりも画素数の少ない複数の映像データを生成し、
前記録画手段は、前記切り出し手段により生成される複数の映像データを前記記憶装置に録画することを特徴とする請求項３に記載の録画装置。
【請求項８】
前記切り出し手段は、前記複数の指定される領域の組み合わせであって、該組み合わせに含まれる領域を前記録画対象の映像データから切り出して生成した映像データを全て録画するために前記記憶装置に必要な容量が前記使用可能な容量以下になるような組み合わせを、ユーザに提示し、ユーザが選択した組み合わせに含まれる領域を前記切り出す領域として決定することを特徴とする請求項７に記載の録画装置。
【請求項９】
テレビ放送を受信する受信手段を備え、
前記入力される映像データは前記受信手段が受信するテレビ放送番組の映像データであり、
映像データから切り出すべき領域を指定する前記情報は、前記テレビ放送番組に関連付けられてテレビ放送により送信される情報であることを特徴とする請求項３から８のいずれか１項に記載の録画装置。
【請求項１０】
前記入力される映像データは制御情報を格納可能な符号化方式により符号化されており、
映像データから切り出すべき領域を指定する前記情報は、前記入力される映像データの符号化データに制御情報として格納されていることを特徴とする請求項３から８のいずれか１項に記載の録画装置。
【請求項１１】
入力される映像データを記憶装置に録画する録画方法であって、
録画のために使用可能な前記記憶装置の容量を取得する第１取得工程と、
録画対象の映像データを録画するために前記記憶装置に必要な容量を取得する第２取得工程と、
前記第２取得工程において取得される前記必要な容量が前記第１取得工程において取得される前記使用可能な容量を超えている場合、前記録画対象の映像データの一部の領域を切り出し、前記録画対象の映像データよりも画素数の少ない映像データを生成する切り出し工程と、
前記切り出し工程において生成される映像データを前記記憶装置に録画する録画工程と、
を含む録画方法。
【請求項１２】
前記切り出し工程において、前記録画対象の映像データから切り出す領域を、該切り出した映像データを全て録画するために前記記憶装置に必要な容量が前記使用可能な容量以下になるように決定される請求項１１に記載の録画方法。
【請求項１３】
前記録画対象の映像データに関連付けられた情報であって、該映像データから切り出すべき領域を指定する情報を取得する第３取得工程を有し、
前記切り出し工程では、前記第３取得工程で取得した情報において切り出すべき領域として指定される領域を含むように前記切り出す領域を決定することを特徴とする請求項１１又は１２に記載の録画方法。
【請求項１４】
前記切り出し工程では、前記指定される領域が前記切り出す領域の中央に位置するように前記切り出す領域を決定することを特徴とする請求項１３に記載の録画方法。
【請求項１５】
前記切り出し工程では、前記指定される領域が前記切り出す領域の中央に位置するように前記切り出す領域を決定した場合該切り出す領域の一部が録画対象の映像データのフレーム外に出る場合、該切り出す領域が越えることになるフレームの端部を基準として前記切り出す領域を決定することを特徴とする請求項１３に記載の録画方法。
【請求項１６】
前記切り出し工程では、前記指定される領域が複数存在する場合、該複数の指定される領域の一部又は全部を含む単一の領域を前記切り出す領域として決定することを特徴とする請求項１３に記載の録画方法。
【請求項１７】
前記切り出し工程では、前記指定される領域が複数存在する場合、該複数の指定される領域の一部又は全部をそれぞれ含む複数の領域を前記切り出す領域として決定し、前記録画対象の映像データから該決定した複数の領域をそれぞれ切り出し、前記録画対象の映像データよりも画素数の少ない複数の映像データを生成し、
前記録画工程では、前記切り出し工程により生成される複数の映像データを前記記憶装置に録画することを特徴とする請求項１３に記載の録画方法。
【請求項１８】
前記切り出し工程では、前記複数の指定される領域の組み合わせであって、該組み合わせに含まれる領域を前記録画対象の映像データから切り出して生成した映像データを全て録画するために前記記憶装置に必要な容量が前記使用可能な容量以下になるような組み合わせを、ユーザに提示し、ユーザが選択した組み合わせに含まれる領域を前記切り出す領域として決定することを特徴とする請求項１７に記載の録画方法。
【請求項１９】
テレビ放送を受信する受信工程を有し、
前記入力される映像データは前記受信工程で受信するテレビ放送番組の映像データであり、
映像データから切り出すべき領域を指定する前記情報は、前記テレビ放送番組に関連付けられてテレビ放送により送信される情報であることを特徴とする請求項１３から１８のいずれか１項に記載の録画方法。
【請求項２０】
前記入力される映像データは制御情報を格納可能な符号化方式により符号化されており、
映像データから切り出すべき領域を指定する前記情報は、前記入力される映像データの符号化データに制御情報として格納されていることを特徴とする請求項１３から１８のいずれか１項に記載の録画方法。
【手続補正２】
【補正対象書類名】明細書
【補正対象項目名】０００７
【補正方法】変更
【補正の内容】
【０００７】
本発明は、入力される映像データを記憶装置に録画する録画装置であって、
録画のために使用可能な前記記憶装置の容量を取得する第１取得手段と、
録画対象の映像データを録画するために前記記憶装置に必要な容量を取得する第２取得手段と、
前記第２取得手段により取得される前記必要な容量が前記第１取得手段により取得される前記使用可能な容量を超えている場合、前記録画対象の映像データの一部の領域を切り
出し、前記録画対象の映像データよりも画素数の少ない映像データを生成する切り出し手段と、
前記切り出し手段により生成される映像データを前記記憶装置に録画する録画手段と、を備える録画装置である。